(57)【要約】【課題】各住戸の住戸受信機を順次呼び出して感知器回線の火災感知器を試験発報させた際に、アクセスが不成功となった住戸受信機があった場合にも、再度、すべての住戸受信機のアクセスを伴った試験発報のやり直しを行う必要がなく、試験発報の効率化を図ることができる集合住宅火災警報システムを提供することを目的とする。【解決手段】感知器遠隔試験モードでは、住棟受信機１からのアクセスが不成功となった住戸受信機２をスキップしながら、他の住戸受信機２を順次アクセスし、その後にスキップした住戸受信機２を再アクセスして試験発報を行う動作を繰り返すことで、住戸受信機２のそれぞれの感知器回線Ｌ２に接続された火災感知器３を順次試験発報させる。【選択図】図１
2007299069.tif 000002
【特許請求の範囲】
【請求項１】
火災感知器を接続した感知器回線を導出させ、各住戸に設置された住戸受信機と、住棟受信機とを少なくとも制御線で接続し、住棟受信機から住戸受信機を通じて、感知器回線に接続されている火災感知器を試験発報させる感知器遠隔試験モードを実行する機能を備えた集合住宅火災警報システムであって、
上記感知器遠隔試験モードでは、住棟受信機からのアクセスが不成功となった住戸受信機をスキップしながら、他の住戸受信機を順次アクセスし、その後にスキップした住戸受信機を再アクセスして試験発報を行う動作を繰り返すことで、上記住戸受信機のそれぞれの感知器回線に接続された火災感知器を順次試験発報させることを特徴としている、集合住宅火災警報システム。
【請求項２】
請求項１において、
上記感知器遠隔試験モードにおいて、スキップされた住戸受信機への再アクセスは、スキップした順序で順次行われて感知器回線の試験発報が行われるようにしている、集合住宅火災警報システム。
【請求項３】
火災感知器を接続した感知器回線を導出させ、各住戸に設置された住戸受信機を少なくとも制御線で接続し、住戸受信機を通じて、感知器回線に接続されている火災感知器を試験発報させる感知器遠隔試験モードを実行する機能を備えた集合住宅火災警報システムに使用され、
上記感知器遠隔試験モードでは、アクセスが不成功となった住戸受信機をスキップしながら、他の住戸受信機を順次アクセスし、その後にスキップした住戸受信機を再アクセスして試験発報を行う動作を繰り返すことで、上記住戸受信機のそれぞれの感知器回線に接続された火災感知器を順次試験発報させることを特徴としている、住棟受信機。
【発明の詳細な説明】
【技術分野】
【０００１】
本発明は、集合住宅火災警報システム、及び、それに使用される住棟受信機に関する。
【背景技術】
【０００２】
近時の集合住宅では、各住戸には、管理人室などに設置された警報監視盤と制御線で接続された住戸受信機に感知器回線を導出し、その感知器回線に火災感知器を接続して、火災の監視を行っているが、本出願人は、このようなシステムにおける各住戸の火災感知器について、各住戸の玄関先から簡単に試験発報させることができるようにした集合住宅警報監視通話システムを提案している。
このシステムは、下記特許文献１に示されているように、各住戸において、火災感知器と住戸受信機との間に介在させて試験端子付中継器を設け、点検業者などが、その試験端子付中継器に遠隔試験器を接続して、その住戸の火災感知器の試験発報を簡易に行えるようにしたものである。
【０００３】
また、本出願人は、このシステムの改良を目的として、管理人室などに設置される住棟受信機から各住戸の住戸受信機を通じて、感知器回線に接続されている火災感知器を順次試験発報を行うようにして、各住戸の玄関にまで出向く必要をなくした集合住宅警報監視通話システムを特願２００５−１２６５１０号において提案している。
【特許文献１】特許第３３３８５９８号公報
【発明の開示】
【発明が解決しようとする課題】
【０００４】
ところで、このようなシステムにおいては、各住戸の住戸受信機を呼び出したときに、制御線、住戸受信機の故障、住戸受信機が通信中であるなどの原因によって、アクセスが不成功となるときがある。
その場合、アクセスが不成功となった住戸受信機を通じては、感知器回線に接続される火災感知器の試験発報を行うことができないといった不具合が生じてしまい、再度、アクセスが不成功となった住戸受信機を含めたすべての住戸受信機へのアクセスを伴った試験発報を行う必要が生じてしまい、試験発報の効率が良いとは言えなかった。
【０００５】
そこで、本発明はこのような事情を考慮して提案されるものであり、各住戸の住戸受信機を順次呼び出して感知器回線の火災感知器を試験発報させた際に、アクセスが不成功となった住戸受信機があった場合にも、再度、すべての住戸受信機のアクセスを伴った試験発報のやり直しを行う必要がなく、試験発報の効率化を図ることを目的とする。
【課題を解決するための手段】
【０００６】
上記目的を達成するため、請求項１では、火災感知器を接続した感知器回線を導出させ、各住戸に設置された住戸受信機と、住棟受信機とを少なくとも制御線で接続し、住棟受信機から住戸受信機を通じて、感知器回線に接続されている火災感知器を試験発報させる感知器遠隔試験モードを実行する機能を備えた集合住宅火災警報システムであって、感知器遠隔試験モードでは、住棟受信機からのアクセスが不成功となった住戸受信機をスキップしながら、他の住戸受信機を順次アクセスし、その後にスキップした住戸受信機を再アクセスして試験発報を行う動作を繰り返すことで、住戸受信機のそれぞれの感知器回線に接続された火災感知器を順次試験発報させることを特徴としている。
【０００７】
ここに、アクセスが不成功となった住戸受信機のスキップとは、その住戸受信機へのアクセスを中断して、次の住宅情報盤以降をアクセスすることをいう。
【０００８】
請求項２では、感知器遠隔試験モードにおいて、スキップされた住戸受信機への再アクセスは、スキップした順序で順次行われて感知器回線の試験発報が行われるようにしている。
【０００９】
請求項３では、火災感知器を接続した感知器回線を導出させ、各住戸に設置された住戸受信機を少なくとも制御線で接続し、住戸受信機を通じて、感知器回線に接続されている火災感知器を試験発報させる感知器遠隔試験モードを実行する機能を備えた集合住宅火災警報システムに使用される住棟受信機であって、感知器遠隔試験モードでは、アクセスが不成功となった住戸受信機をスキップしながら、他の住戸受信機を順次アクセスし、その後にスキップした住戸受信機を再アクセスして試験発報を行う動作を繰り返すことで、住戸受信機のそれぞれの感知器回線に接続された火災感知器を順次試験発報させることを特徴としている。
【発明の効果】
【００１０】
請求項１によれば、システムのすべての住戸受信機を呼び出して火災感知器の試験発報を行う際に、アクセスが不成功となった住戸受信機があったときには、その住戸受信機をスキップしながら他の住戸受信機を順次アクセスし、その後にスキップした住戸受信機を再アクセスするので、アクセスが不成功となった住戸受信機があった場合に、再度、すべての住戸受信機のアクセスを伴った試験発報のやり直しを行う必要がなく、試験発報の効率化を図ることができる。
【００１１】
請求項２によれば、スキップされた住戸受信機への再アクセスを、スキップした順序で順次行うようにしているので、再アクセスの信号処理を簡易にでき、最初の方にアクセスが不成功となった住戸受信機への再アクセスがされないまま放置されることを防止できる。
【００１２】
請求項３によれば、システムのすべての住戸受信機を呼び出して火災感知器の試験発報を行う際に、アクセスが不成功となった住戸受信機があったときには、その住戸受信機をスキップしながら他の住戸受信機を順次アクセスし、その後にスキップした住戸受信機を再アクセスするので、アクセスが不成功となった住戸受信機があった場合に、再度、すべての住戸受信機のアクセスを伴った試験発報のやり直しを行う必要がなく、試験発報の効率化を図ることができる。
【発明を実施するための最良の形態】
【００１３】
以下に、本発明の実施の形態について説明する。
【実施例１】
【００１４】
図２は、本発明の集合住宅火災警報システムの概略基本構成の一例を示すシステム系統図である。
【００１５】
この集合住宅火災警報システムは、住棟受信機１より伝送ラインＬ１を導出させ、各住戸の住戸受信機２を接続しており、各住戸受信機２には、感知器回線Ｌ２を通じて火災感知器３を接続している。
【００１６】
ここに、伝送ラインＬ１は、後述する制御線Ｌ１ａと通話線Ｌ１ｂとを含んで構成されているが、２線式の多重伝送線で構成してもよい。
【００１７】
このシステムでは、住棟受信機１は、通常モードにおいては、制御線Ｌ１ａを通じ、各住戸の住戸受信機１のアドレスを含んだ呼出信号を送出して、住戸受信機２の故障、断線、住戸受信機２への火災感知器３からの火災信号の入力を監視している。
いずれかの住戸受信機２から割り込みで、火災感知器３からの火災信号の入力があったことを知らせる信号を受信したときには、その住戸受信機２が設置される場所を表示した所定の火災警報を行い、かつ、その住戸と同一階、直上階の近隣住戸に対して警報をなす。
【００１８】
また、住棟受信機１は、通話線Ｌ２ｂを通じ、各住戸の住戸受信機２のアドレスを指定した通話呼出を行ったり、各住戸の住戸受信機２の間における通話呼出の制御を行うようにしている。
【００１９】
このようなシステムでは、住棟受信機１には、感知器回線Ｌ２毎に火災感知器３の感知器アドレスが予め登録されており、後述する感知器遠隔試験モードの実行によって、感知器回線Ｌ２に接続されている火災感知器３の試験発報が行えるようにしている。
【００２０】
図３は、住棟受信機１の内部構成の一例を示すブロック図である。
【００２１】
この住棟受信機１は、各住戸受信機２との通話路を切換制御する通話切換回路１１Ａ、ハンドセットＨを有する通話回路１１と、多重伝送回路１２と、スピーカＳＰを有する音声出力部１３と、操作部１４と、表示部１５と、感知器回線Ｌ２毎に火災感知器Ｓのアドレスを記憶したり、感知器遠隔試験モードでアクセスが不成功となった住戸受信機２のアドレスを記憶する記憶部１６と、火災感知器遠隔試験回路１７とを備えている。なお、通話回路１１はハンドセットのない、ハンズフリー対応のものであってもよい。
【００２２】
信号処理部１０は、各住戸受信機２との間でアドレスを含む呼出信号を送受して住戸受信機２の状態を監視する他、各部の制御をなす機能を備えている。
信号処理部１０は、感知器遠隔試験モードが選択され、試験スイッチ１８が操作されたときには、各住戸の住戸受信機２のアドレスを指定した呼出信号を送出して順次アクセスし、アクセスが成功した住戸受信機２を優先して感知器接続信号を送出し、感知器回線Ｌ２と制御線Ｌ１ａとを接続させ、試験信号を送出して動作確認信号の返信の有無によって、それぞれの感知器回線Ｌ２に接続される火災感知器３の試験発報を行う。
【００２３】
感知器回線Ｌ２に接続された火災感知器Ｓのすべての試験発報が終了すれば、感知器遮断信号を送出して、制御線Ｌ１ａと感知器回線Ｌ２の接続を遮断させる。
アクセスが不成功となった住戸受信機２のアドレスは、順次記憶部１６に記憶しておき、アクセスが成功した住戸受信機２の試験発報が終了しだい、これらアクセスが不成功となった住戸受信機２のアドレスを指定した呼出信号を送出して順次アクセスして試験発報を行う。
【００２４】
通話回路１１からは、通話信号の送受をする通話線Ｌ１ｂが導出されており、通話切換回路１１Ａの制御により、住棟受信機１あるいは他の住戸受信機２との通話路を形成して、インターホン通話がなされる構成になっている。
【００２５】
多重伝送回路１２からは、制御線Ｌ１ａが導出されており、制御線Ｌ１ａを通じて各種信号の送受を多重伝送方式で行う。
【００２６】
操作部１４は、モード選択スイッチ１９を備えており、モード選択スイッチ１９の選択操作により通常モード、感知器遠隔試験モードの選択が指定でき、感知器遠隔試験モードに選択設定してから試験スイッチ１８を操作すれば、図１に示すような火災感知器３の試験発報を行うことができる。
【００２７】
火災感知器遠隔試験回路１７は、試験信号発生回路部１７Ａ、電流変化検出回路部１７Ｂ、感知器回路駆動電源１７Ｃ、試験スイッチ１８を備える。
【００２８】
試験信号発生回路部１７Ａは、アクセスが成功した住戸受信機２を通じて、感知器回線Ｌ２に接続される火災感知器３のアドレスを指定した試験信号を送出する。
【００２９】
電流変化検出回路部１７Ｂは、試験信号を受信した火災感知器３の動作によって感知器回線Ｌ２が短絡するので、これに接続される制御線Ｌ１ａの電流変化を検出して、これを感知器回線Ｌ２に接続される火災感知器３からの動作確認信号とする。
【００３０】
感知器回線駆動電源部１７Ｃは、感知器遠隔試験モードの実行をする際に、火災感知器３の駆動電源を制御線Ｌ１ａを通じて供給する。
【００３１】
図４は、住戸受信機２の要部構成の一例を示すブロック図である。
【００３２】
この住戸受信機２からは感知器回線Ｌ２が導出されており、感知器アドレスの付加された火災感知器３が接続される。感知器回線Ｌ２の終端には終端抵抗器６が接続されている。
【００３３】
住戸受信機２は、制御回路２０と、住棟受信機１または他の住戸受信機２との通話路の切換制御を行う通話切換回路２１Ａを含む通話回路２１と、警報回路２２と、マイク２３と、スピーカＳＰと、この住戸受信機２のアドレスなどを記憶するメモリ２４と、回線接続切換手段２５とを備えている。なお、住棟受信機１と同様に、通話回路２５はハンドセットＨのない、ハンズフリー対応のものであってもよい。
【００３４】
制御回路２０には、制御線Ｌ１ａ、通話線Ｌ１ｂが接続されており、制御線Ｌ１ａを通じて各種信号の送受を多重伝送方式で行う。
この制御回路２０は、住棟受信機１からアドレスを含んだ呼出信号を受信したときには応答をし、感知器接続信号を受信したときには回線接続切換手段２５を制御して、接点２５ａ，２５ｂを接点ａ閉じにする。
また、住棟受信機１から感知器遮断信号を受信したときには、接点２５ａ，２５ａを接点ｂ閉じにする。
【００３５】
警報回路２２は、火災感知器３や、ガス漏れセンサー、防犯スイッチなどの不図示のセキュリティーセンサの発報時に警報を出力する。なお、警報には、警報音や警報メッセージが少なくとも含まれる。
【００３６】
回線接続切換手段２５は、感知器回線Ｌ２の接続を、制御線Ｌ１ａ側か制御回路２０側かに切り換える接点２５ａ，２５ａを有しており、制御回路２０の制御によって、接点ｂ閉じ、接点ａ閉じのいずれかに切り換えられる。
接点２５ａ，２５ｂは、通常モードでは接点ｂ閉じであるが、感知器遠隔試験モードでは、接点ａ閉じとなる。
接点２５ａ，２５ｂをｂ閉じにした状態では、制御回路２０側に感知器回線Ｌ２が接続されており、住戸受信機２は、火災感知器Ｓが火災を検知すると感知器回線Ｌ２を短絡させるので、その感知器回線Ｌ２の短絡を検出して火災警報を出力するとともに、住棟受信機１に火災信号を送出する。
【００３７】
一方、接点をａ閉じにした状態では、制御線Ｌ１ａ側に感知器回線Ｌ３が接続され、住棟受信機１と感知器回線Ｌ２が接続される。
感知器遠隔試験モードは、この状態で行われ、制御線Ｌ１ａを通じて、住棟受信機１から火災感知器Ｓに駆動電源が送られ、アドレスを指定した試験信号が送出されるので、火災感知器Ｓの発報による動作確認信号が住棟受信機１に返信される。
【００３８】
以上のようなシステムにおいて、住棟受信機１は、通常モード時には、住戸受信機２から火災信号を受信したときには所定の警報処理をなし、また、集合住宅の共同玄関に設置されたロビーインターホンから特定住戸への呼出を受けたときに、その住戸の住戸受信機２を呼出して、ロビーインターホンと住戸受信機２との間で通話制御をなすなど、集合住宅の監視通話のために公知の動作を行う。
【００３９】
図５は、火災感知器３の要部構成の一例を示す図である。なお、Ｒは終端抵抗器を示す。
【００４０】
火災感知器３のそれぞれは、制御処理部３０と、接点３１ａを有し、火災要因の検出時または試験信号受信時に、接点３１ａを閉じて感知器回線Ｌ２を短絡させることで火災信号または動作確認信号を発生させる火災報知部３１と、感知器回線Ｌ２を通じて、住棟受信機１から送出される試験信号を受信する信号伝送部３２とを備えている。
なお、動作確認信号は、ここでは、感知器回線Ｌ２を短絡させることで送出しているが、この例には限られない。
【００４１】
ついで、本発明の集合住宅火災警報システムの要部をなす感知器遠隔試験モードの基本動作を説明する。図１は、この基本動作を示すフローチャート（１００〜１１３）である。
この集合住宅火災警報システムでは、火災感知器３の試験発報を、住棟受信機１の操作によって行うことができる。
住棟受信機１は、モード選択スイッチ１９の選択設定により感知器遠隔試験モードが選択され、試験スイッチ１８が操作されたときには、各住戸の住戸受信機２のアドレスを順次インクリメントしながら、各々のアドレスを含んだ呼出信号を送出してアクセスし、応答を待つ。
【００４２】
そして、応答がなかった住戸受信機２についてはスキップしアドレスを記憶しながら、応答のあった住戸受信機２に対して、感知器接続信号を送出して感知器回線Ｌ２と制御線Ｌ１ａとを接続させ、その感知器回線Ｌ２に応じて登録された火災感知器３のアドレスを指定した試験信号を送出する。
試験信号を受信した火災感知器３は、その動作が正常であれば動作確認信号を送出するので、住棟受信機１は、動作確認信号の返信のあった火災感知器３を正常と判定する一方、動作確認信号の返信のなかった火災感知器３を異常と判定し、その火災感知器３のアドレス、設置場所などを表示するなどの異常処理を行う。
感知器回線Ｌ２毎に火災感知器３の試験発報が終了すれば、その感知器回線Ｌ２が接続される住戸受信機２に感知器遮断信号を送出して、感知器回線Ｌ２と制御線Ｌ１ａとの接続を遮断させる。
【００４３】
すべての住戸受信機２のアクセスを終了した後には、スキップし記憶しておいた住戸受信機２を再アクセスする。
すなわち、住棟受信機１は、スキップした住戸受信機２を、記憶した順に順次再アクセスし、応答のあった住戸受信機２に対して、感知器回線Ｌ２毎に登録された火災感知器３のアドレスを指定した試験信号を送出し、応答のなかった住戸受信機２をスキップしてアドレスを記憶するという処理を、システム内の全ての住戸受信機２へのアクセスが成功するまで繰り返す。
【図面の簡単な説明】
【００４４】
【図１】本発明システムの要部をなす感知器遠隔試験モードの基本動作の一例を示すフローチャート
【図２】本発明システムの概略基本構成の一例を示すシステム系統図
【図３】住棟受信機の要部構成の一例を示すブロック図
【図４】住戸受信機の要部構成の一例を示すブロック図
【図５】火災感知器の要部構成の一例を示すブロック図
【符号の説明】
【００４５】
１  住棟受信機
２  住戸受信機
３  火災感知器
Ｌ１ａ  制御線
Ｌ２  感知器回線
【図１】
2007299069.tif 000003
【図２】
2007299069.tif 000004
【図３】
2007299069.tif 000005
【図４】
2007299069.tif 000006
【図５】
2007299069.tif 000007
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
火災感知器を接続した感知器回線を導出させ、各住戸に設置された住戸受信機と、住棟受信機とを少なくとも制御線で接続し、住棟受信機から住戸受信機を通じて、感知器回線毎に予め登録された火災感知器の感知器アドレスを指定した試験信号を送出して、火災感知器を試験発報させる感知器遠隔試験モードを実行する機能を備えた集合住宅火災警報システムであって、
上記感知器遠隔試験モードでは、上記住棟受信機からのアクセスが不成功となった住戸受信機をスキップし、スキップした住戸受信機のアドレスを記憶しながら、他の住戸受信機を順次アクセスし、その後にスキップし記憶しておいたアドレスの住戸受信機に再アクセスし、応答のあった住戸受信機に対して、感知器回線毎に登録された火災感知器の感知器アドレスを指定した試験信号を送出するとともに、再度応答のなかった住戸受信機をスキップし、スキップした住戸受信機のアドレスを記憶する動作を繰り返すことで、上記住戸受信機のそれぞれの感知器回線に接続された火災感知器を順次試験発報させることを特徴としている集合住宅火災警報システム。
【請求項２】
請求項１において、
上記感知器遠隔試験モードにおいて、スキップされた住戸受信機への再アクセスは、スキップした順序で順次行われて感知器回線の試験発報が行われるようにしている集合住宅火災警報システム。
【請求項３】
火災感知器を接続した感知器回線を導出させ、各住戸に設置された住戸受信機を少なくとも制御線で接続し、住戸受信機を通じて、感知器回線毎に予め登録された火災感知器の感知器アドレスを指定した試験信号を送出して、感知器回線に接続されている火災感知器を試験発報させる感知器遠隔試験モードを実行する機能を備えた集合住宅火災警報システムに使用され、
上記感知器遠隔試験モードでは、アクセスが不成功となった住戸受信機をスキップし、スキップした住戸受信機のアドレスを記憶しながら、他の住戸受信機を順次アクセスし、その後にスキップし記憶しておいたアドレスの住戸受信機を再アクセスし、応答のあった住戸受信機に対して、感知器回線毎に登録された火災感知器のアドレスを指定した試験信号を送出するとともに、再度応答のなかった住戸受信機をスキップし、スキップした住戸受信機のアドレスを記憶する動作を繰り返すことで、上記住戸受信機のそれぞれの感知器回線に接続された火災感知器を順次試験発報させることを特徴としている住棟受信機。